(57)【要約】      （修正有）【課題】スーパーキャパシタＵＳＢ蓄電式レーザーポインターを提供する。【解決手段】レーザーユニット１はスイッチユニット１１を備え、これによりレーザーユニット１のオン／オフ切り換えを行い、スーパーキャパシタユニット２一端は変圧ユニット３を通して、スイッチユニット１１に接続する。これによりレーザーユニット１に給電し、スーパーキャパシタユニット２反対端はＵＳＢインターフェースユニット４に電気的に連接し、ＵＳＢインターフェースユニット４は外部電源に連結し、スーパーキャパシタユニット２に対して充電を行い、使用前にはコンピューター上のＵＳＢポートに設置して充電するだけで良く、使用中に電力が不足しても、コンピューター上のＵＳＢポートに短時間連結し充電すれば継続使用が可能となる。【選択図】図１
0003177486.tif 000002
【実用新案登録請求の範囲】
【請求項１】
レーザーユニット、少なくとも１個のスーパーキャパシタユニットを備え、
前記レーザーユニットは、スイッチユニットを備え、これにより前記レーザーユニットのオン/オフ切り換えを行い、
前記スーパーキャパシタユニット一端は、前記スーパーキャパシタユニットに対応する変圧ユニットを通して、前記スイッチユニットに接続し、これにより前記レーザーユニットに給電し、
前記スーパーキャパシタユニット反対端は、USBインターフェースユニットに電気的に連接し、
前記USBインターフェースユニットは、外部電源に連結し、前記スーパーキャパシタユニットに対して充電を行うことを特徴とするスーパーキャパシタUSB蓄電式レーザーポインター。
【請求項２】
前記USBインターフェースユニットはさらに、ストレージユニットを接続することを特徴とする請求項１に記載のスーパーキャパシタUSB蓄電式レーザーポインター。
【請求項３】
前記ストレージユニットは、NANDフラッシュメモリであることを特徴とする請求項２に記載のスーパーキャパシタUSB蓄電式レーザーポインター。
【請求項４】
前記USBインターフェースユニットと前記スーパーキャパシタユニットとの間にはさらに、ヒューズ部を直列接続することを特徴とする請求項１に記載のスーパーキャパシタUSB蓄電式レーザーポインター。
【請求項５】
前記ヒューズ部は、ヒューズであることを特徴とする請求項４に記載のスーパーキャパシタUSB蓄電式レーザーポインター。
【請求項６】
前記USBインターフェースユニットが連結可能な外部電源は、USB充電器、或いはUSBポートを備えるコンピューターであることを特徴とする請求項１に記載のスーパーキャパシタUSB蓄電式レーザーポインター。
【考案の詳細な説明】
【技術分野】
【０００１】
本考案はスーパーキャパシタUSB蓄電式レーザーポインターに関し、特にUSBインターフェースユニットを通して外部電源に連結しスーパーキャパシタユニットに対して充電を行い、スーパーキャパシタ(電気二重層キャパシタ)の特性を通して、使用時の利便性を高め、二酸化炭素削減と省エネの効果を達成するスーパーキャパシタUSB蓄電式レーザーポインターに関する。
【背景技術】
【０００２】
レーザーポインターは用途が広く、会議、プレゼンテーション、フォーラム、指揮、天文観測、登山時の救助要請などに幅広く応用されている。
レーザーポインターは通常は単四電池(充電池も含む)、或いは水銀電池を電力の供給源としている。
【０００３】
しかし、水銀電池の成分は、水銀を含み比較的高価で、しかも汚染性が高く環境への負荷が大きい。
そのため、近年は使用が減少している。
【０００４】
一方、単四電池は、乾電池に属するため、体積が大きく、レーザーポインターの外形に制限を加えている。
しかも、それが使用可能な温度範囲は、−２０℃から６０℃の間である。
さらに、充電池では、その充放電は電流の制限を受け、充電に比較的長い時間がかかり、かつ充電池の持つメモリー効果により、その充電回数を減らしてしまい易く、使用寿命は短くなってしまう。
【０００５】
すなわち、レーザーポインターの電力供給源として、水銀電池、乾電池(充電池)いずれであろうと、使用前にはその電力状況をチェックし、状況に応じて交換しなければならない。
しかも、使用中に電力を使い切ってしまえば、予備の電池に交換しなければ、使用を継続することはできない。
もし、予備の電池がなければ、会議、プレゼンテーション、或いはフォーラムなどのスケジュール進行を遅らせなければならず、非常に不便で、面倒である。
このように予備の電池は常に用意する必要があり、充電池の場合は別途充電しておく必要があり、使用者は経済的コスト負担および手間を掛けなければならない。
本考案は、従来のレーザーポインターの上記した欠点に鑑みてなされたものである。
【考案の概要】
【考案が解決しようとする課題】
【０００６】
本考案が解決しようとする課題は、汚染性が高く、適用温度に限界があり、充電に比較的長い時間がかかり、購入コストを拡大し、使用において不便で面倒であるという電池を使用する従来のレーザーポインターの欠点を解決するスーパーキャパシタUSB蓄電式レーザーポインターを提供することである。
【課題を解決するための手段】
【０００７】
上記課題を解決するため、本考案は下記のスーパーキャパシタUSB蓄電式レーザーポインターを提供する。
スーパーキャパシタUSB蓄電式レーザーポインターは、レーザーユニット、少なくとも１個のスーパーキャパシタユニットを備え、該レーザーユニットは、スイッチユニットを備え、これにより該レーザーユニットのオン/オフ切り換えを行い、該スーパーキャパシタユニット一端は、該スーパーキャパシタユニットに対応する変圧ユニットを通して、該スイッチユニットに接続し、これにより該レーザーユニットに給電し、該スーパーキャパシタユニット反対端は、USBインターフェースユニットに電気的に連接し、該USBインターフェースユニットは、外部電源に連結し、該スーパーキャパシタユニットに対して充電を行い、該USBインターフェースユニットはさらに、ストレージユニットを接続し、該ストレージユニットは、NANDフラッシュメモリで、該USBインターフェースユニットと該スーパーキャパシタユニットとの間にはさらに、ヒューズ部を直列接続し、該ヒューズ部は、ヒューズで、該USBインターフェースユニットが連結可能な外部電源は、USB充電器、或いはUSBポートを備えるコンピューターで、会議、プレゼンテーション、フォーラムなどで発表を行う場合には、通常はコンピューター、プロジェクター、レーザーポインターを用いるが、現行のコンピューターにはすべて、USBポートが配備されているため、該USBインターフェースユニットをコンピューターのUSBポートに接続するだけで、該スーパーキャパシタユニットに対して充電を行うことができ、該スーパーキャパシタは、体積が小さく、キャパシタ容量が大きく、適用温度が−４０℃から８５℃の間と適用範囲が広く、出力電力密度が高い安定放電ができ、充電池が持つメモリー効果がなく、漏電しにくく、数十万回の充放電が可能で、使用寿命が長く、充放電に電流の制限がないため充電が迅速に行えるという特性を備えるため、使用前にはコンピューター上のUSBポートに接続して充電するだけで良く、これにより電力状態の頻繁なチェック及び電池の交換が不要となるため、二酸化炭素削減、省エネの効果を達成でき、使用中に電力が不足しても、コンピューター上のUSBポートに短時間接続し充電すれば継続使用が可能で、該変圧ユニットにより、該スーパーキャパシタユニットが出力する電圧が設定電圧に達しておらず、或いは設定電圧を超過している時、該レーザーユニットの駆動電圧範囲内へと変圧し、これにより該レーザーユニットの使用寿命を延長し、電力使用効率を最大化でき、該USBインターフェースユニットは、ストレージユニットを接続するため、これによりポータブルディスクの機能を備え、該USBインターフェースユニットはさらに、ヒューズ部を接続し、該スーパーキャパシタユニットが強い衝撃を受け損壊し、ショートが発生しても、該ヒューズ部により、本考案がコンピューターに連結した時に、コンピューター側が、過多の電流供給を受けて損壊することを防止でき、また該スーパーキャパシタユニットが過多の電流を受けて損壊することを防止でき、こうして本考案の使用の安全性、利便性、適用性を大幅に向上させることができる。
【考案の効果】
【０００８】
本考案のスーパーキャパシタUSB蓄電式レーザーポインターは、USBインターフェースユニットを通して外部電源に連結しスーパーキャパシタユニットに対して充電を行い、スーパーキャパシタの特性を通して、使用時の利便性を高め、二酸化炭素削減と省エネの効果を達成することができる。
【図面の簡単な説明】
【０００９】
【図１】本考案第一実施例の構造模式図である。
【図２】本考案第二実施例の構造模式図である。
【図３】本考案第三実施例の構造模式図である。
【考案を実施するための形態】
【００１０】
以下に図面を参照しながら本考案を実施するための最良の形態について詳細に説明する。
【００１１】
図１に示すように、本考案第一実施例のスーパーキャパシタUSB蓄電式レーザーポインターは、レーザーユニット１、少なくとも１個のスーパーキャパシタユニット２を備える。
【００１２】
レーザーユニット１は、スイッチユニット１１を備え、これにより、レーザーユニット１のオン/オフ切り換えを行う。
【００１３】
スーパーキャパシタユニット２一端は、スーパーキャパシタユニット２に対応する変圧ユニット３を通して、スイッチユニット１１に接続する。
これにより、レーザーユニット１に給電する。スーパーキャパシタユニット２反対端は、USBインターフェースユニット４に電気的に連接する。
【００１４】
USBインターフェースユニット４は、外部電源に連結し、スーパーキャパシタユニット２に対して充電を行う。
USBインターフェースユニット４が連結可能な外部電源は、USB充電器、或いはUSBポートを備えるコンピューターである。
【００１５】
会議、プレゼンテーション、フォーラムなどで発表を行う場合には、通常はコンピューター、プロジェクター、レーザーポインターを用いる。
現行のコンピューターにはすべて、USBポートが配備されている。
そのため、使用前に、USBインターフェースユニット４を、コンピューターのUSBポートに接続するだけで、スーパーキャパシタユニット２に対して充電を行うことができる。
【００１６】
スーパーキャパシタユニット２は、充放電に電流の制限がないため、その充電に要する時間は比較的短く、使用中に電力を使い切ってしまったとしても、コンピューターのUSBポートに接続するだけで、迅速に充電を行うことができる。
すなわち、レーザーポインターの電力量を常にチェックする必要はなく、予備の電池を購入する必要もなく、使用中に電力が尽きてしまい、交換用の電池を用意するために、発表が遅れるという恐れもない。
【００１７】
従来の充電池には、メモリー効果があるという欠点があるため、長期使用後に交換しなければならない。
しかし、スーパーキャパシタには、充電池のようなメモリー効果がないため、本考案はしばしば充電池を購入しなければならないという消耗材コストを低下させることができる。
また、通常の電池では、電池を使い切った後廃棄しなければならないが、それを減らすことができ、二酸化炭素削減、省エネの効果を達成することができる。
【００１８】
スーパーキャパシタユニット２では、設定電圧に達しない、或いは超過した時、変圧ユニット３は、スーパーキャパシタユニット２が出力する電圧を、設定電圧へと調整する。
すなわち、変圧ユニット３は、スーパーキャパシタユニット２の出力電圧を、レーザーユニット１の最適な駆動電圧範囲内へと変圧する。
これにより、本考案の全体回路を安定させ、レーザーユニット１の使用年限に影響を与えることなく、スーパーキャパシタユニット２の電力使用効率を最大化することができる。
【００１９】
本考案の操作状態は、図１に示すように、先ず、USBインターフェースユニット４を、コンピューターのUSBポートに接続、或いはUSB充電器に連結し、該充電器を電源コンセントに接続する。これにより、スーパーキャパシタユニット２に対して充電することができる。
使用者が、レーザーユニット１をオンにしたい場合、スイッチユニット１１をオンにするだけで、スーパーキャパシタユニット２は電流を出力し、変圧ユニット３を経て、スーパーキャパシタユニット２の出力電圧を、レーザーユニット１の最適な駆動電圧範囲内へと変圧する。
これにより、レーザーユニット１は、レーザー光線を発光することができる。
【００２０】
次に、図２に示すように、本考案の第二実施例の第一実施例との差異は、USBインターフェースユニット４がさらに、ストレージユニット５を接続する点である。
ストレージユニット５は、NANDフラッシュメモリで、これにより、本考案はポータブルディスクとして使用することができる。
USBインターフェースユニット４をコンピューターのUSBポートに接続すると、ストレージユニット５にデータを保存、或いは読み取ることができる。
【００２１】
続いて、図３に示すように、本考案の第三実施例の第一実施例との差異は、USBインターフェースユニット４とスーパーキャパシタユニット２との間にさらに、ヒューズ部６を直列接続する点である。ヒューズ部６は、ヒューズである。
ヒューズ部６により、スーパーキャパシタユニット２が強い衝撃を受け損壊し、ショートが発生しても、USBインターフェースユニット４がコンピューターに接続した時に、コンピューター側が、過多の電流供給を受けて損壊することを防止できる。
また、本考案の充電時に、雷サージを受け、或いは漏電し、過多の電流の衝撃により、スーパーキャパシタユニット２が損壊することを回避できる。
【００２２】
上記したように、本考案には以下の長所と効果が存在する。
1.体積が小さく、キャパシタ容量が大きく、適用温度が−４０℃から８５℃の間と適用範囲が広く、出力電力密度が高い安定放電ができ、充電池のメモリー効果のような特性がなく、漏電しにくく、数十万回の充放電が可能で、使用寿命が長く、充放電に電流の制限がないため充電が迅速に行えるというスーパーキャパシタの特性を利用し、携帯に便利で、交換が不要で、予備電池を買い置きする必要がなく、電力状態をしばしばチェックしなくてもよく、しかも充電を迅速に行え、会議、プレゼンテーション、フォーラムなどで発表を行う場合には、コンピューターに、USBインターフェースユニット４を接続し、スーパーキャパシタユニット２に対して充電を行うことができ、こうして使用時の利便性と適用性を向上させられ、しかも電池廃棄の回数を減らすことができ、こうして二酸化炭素削減と省エネの効果を達成することができる。
2.本考案は、スーパーキャパシタユニット２に対応する変圧ユニット３により、スーパーキャパシタユニット２が出力する時、設定電圧に達していてもいなくても、変圧ユニット３を通して、スーパーキャパシタユニット２の出力電圧を、レーザーユニット１の最適駆動範囲内へと変圧し、これにより本考案の全体回路を安定させ、レーザーユニット１の使用年限に影響を与えることなく、スーパーキャパシタユニット２の電力使用効率を最大化することができる。
3.本考案のUSBインターフェースユニット４はさらに、ストレージユニット５を接続し、これによりポータブルディスクとして使用でき、USBインターフェースユニット４をコンピューターのUSBポートに接続すると、ストレージユニット５にデータを保存、或いは読み取ることができ、本考案の実用性を向上させることができる。
4.本考案のUSBインターフェースユニット４とスーパーキャパシタユニット２との間にさらに、ヒューズ部６を直列接続し、ヒューズ部６は、ヒューズで、スーパーキャパシタユニット２が強い衝撃を受け損壊し、ショートが発生しても、ヒューズ部６により、USBインターフェースユニット４がコンピューターに接続した時に、コンピューター側が、過多の電流供給を受けて損壊することを防止でき、また、本考案の充電時に、雷サージを受け、或いは漏電し、過多の電流の衝撃により、スーパーキャパシタユニット２が損壊することを回避でき、本考案の使用の安全性を向上させることができる。
【００２３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２４】
１    レーザーユニット
１１  スイッチユニット
２    スーパーキャパシタユニット
３    変圧ユニット
４    USBインターフェースユニット
５    ストレージユニット
６    ヒューズ部
【図１】
0003177486.tif 000003
【図２】
0003177486.tif 000004
【図３】
0003177486.tif 000005